(57)【要約】【課題】円滑に開閉することができ、使用時には外壁の開口を閉じることができ、不使用時には外壁内に収納できて嵩張らない断熱性を有する遮蔽部材を採用した建造物の外壁開口部断熱構造を提供することである。【解決手段】建造物の外壁２０に形成された開口２１の屋外側にガラス戸２２，２３を設け、該開口２１の屋内側にレール又は溝を設け、このレール又は溝に対してスライド移動可能に係合する係合部位７ａ，７ｂを有し且つ断熱性を有する断熱扉１を設け、断熱扉１は外壁２０に形成された戸袋２内に収納可能とした。【選択図】図１
2012046905.tif 000002
【特許請求の範囲】
【請求項１】
建造物の外壁に形成された開口の屋外側にガラス戸を設け、該開口の屋内側に断熱性を有する遮蔽部材を開閉可能に設け、前記遮蔽部材は外壁内に収納可能であることを特徴とする建造物の外壁開口部断熱構造。
【発明の詳細な説明】
【技術分野】
【０００１】
本発明は、建造物の外壁に設置される窓等の開口部の断熱性を向上させる構造に関するものである。
【背景技術】
【０００２】
昨今は、全世界的に地球温暖化を阻止する動きが顕著であり、エネルギーロスの低減化が大きな課題となっている。そして、冷暖房設備が設けられた建造物では、外壁に断熱材を設けて、屋外と屋内との間で熱が移動しないように工夫されている。すなわち、建造物の断熱性を向上させることによって、冷暖房の効率が良くなり、省エネルギーに寄与することができる。
【０００３】
ところで、外壁は断熱材によって断熱性能を向上させることができるが、外壁に設けられた窓等の開口には、外壁と同様に断熱材を設けることができない。そのため、熱は窓を介して屋内と屋外とを移動するので、外壁の断熱性を向上させるだけでは建造物の断熱対策は不十分である。
【０００４】
そこで特許文献１に開示されているような暖房省エネ効果カーテンの施工法の発明が創案されている。特許文献１に開示されている発明では、窓に設置されたカーテンを工夫し、カーテンと天井、及びカーテンと床との間に隙間が生じないようにすることで、屋外と屋内との間の熱の移動を抑制し、断熱性を向上させることができるとされている。
【先行技術文献】
【特許文献】
【０００５】
【特許文献１】特開２００６−２３０９７７号公報
【発明の概要】
【発明が解決しようとする課題】
【０００６】
ところで、特許文献１に開示されているカーテンは、窓を遮蔽する場合には威力を発揮するが、窓を開けるか又は採光する場合に束ねると、非常に嵩張ってしまう。すなわち、当該カーテンを拡げた際の面積は、窓枠の面積よりも広く、さらに当該カーテンは天井や床に完全に密着するほどの高さ寸法を有しているので、拡げたカーテンを束ねるのは困難である。特に、カーテンの上端と下端は束ねにくく、屋内において場所をとってしまう。
【０００７】
そこで本発明は、円滑に開閉することができ、不使用時には外壁内に収納できて嵩張らない断熱性を有する遮蔽部材を採用した建造物の外壁開口部断熱構造を提供することを目的としている。
【課題を解決するための手段】
【０００８】
上記課題を解決するための請求項１の発明は、建造物の外壁に形成された開口の屋外側にガラス戸を設け、該開口の屋内側に断熱性を有する遮蔽部材を開閉可能に設け、前記遮蔽部材は外壁内に収納可能であることを特徴とする建造物の外壁開口部断熱構造である。
【０００９】
請求項１の発明の建造物の外壁開口部断熱構造を実施すると、建造物の外壁に形成された開口の断熱性が、遮蔽部材によって向上する。その結果、建造物全体の断熱性が向上する。また、遮蔽部材は外壁内に収納可能であるので、遮蔽部材を外壁内に収納すると、ガラス戸を開けるときや採光するときに邪魔にならない。
【発明の効果】
【００１０】
本発明は、建造物の外壁の熱が逃げ易い開口を遮蔽部材で閉じることができるので、外壁の開口の断熱性を向上させることができる。その結果、建造物全体の断熱性が向上する。さらに、遮蔽部材は外壁内に収納可能であるので、不使用時には、遮蔽部材を外壁内に収納し、ガラス戸を開けたり、採光することができる。また、遮蔽部材をガラス戸よりも屋内側に設けるので、ガラス戸によって風雨を遮断することができ、遮蔽部材の劣化を抑制することができる。
【図面の簡単な説明】
【００１１】
【図１】建造物の窓の横断平面図であり、（ａ）は窓枠に断熱扉を取り付ける直前の状態を示しており、（ｂ）は窓枠に取り付けた断熱扉を閉じた状態を示しており、（ｃ）は断熱扉を開いた状態を示しており、（ｄ）は（ｃ）においてガラス戸を開いた状態を示している。
【図２】（ａ）は本発明の断熱扉を備えた建造物の窓の縦断側面図であり、（ｂ）は（ａ）に備えた断熱扉とは異なる断熱扉を備えた建造物の窓の縦断側面図である。
【図３】図２（ａ）に示す断熱扉の斜視図である。
【発明を実施するための形態】
【００１２】
以下、図面を参照しながら本発明の実施形態を説明する。
【００１３】
図１（ａ）に示すように、ビルや家屋等の建造物の外壁２０には、窓用の開口２１が設けられている。開口２１（窓）の下面には２本の平行なガラス戸用のレール２４ａ，２５ａが設けてあり、同様に開口２１の上面には２本の平行なガラス戸用のレール２４ｂ，２５ｂが設けてある。レール２４ａとレール２４ｂは、上下に対向しており、同様にレール２５ａとレール２５ｂが、上下に対向している。
【００１４】
また、開口２１の下面には、レール２４ａ，２５ａと平行にレール３ａが設けてあり、開口２１の上面には、レール２４ｂ，２５ｂと平行にレール３ｂが設けてある。レール３ａとレール３ｂは、上下に対向している。レール３ａはレール２４ａ，２５ａよりも屋内側に設置されており、レール３ｂはレール２４ｂ，２５ｂよりも屋内側に設置されている。レール３ａ，３ｂは、後述する断熱扉用のレールである。
【００１５】
さらに外壁２０には、開口２１の側面に開口する戸袋２が設けてある。すなわち、開口２１の一方の側面には、戸袋２の出入口が形成されており、その出入口の縁として戸袋開口縁２ｂが形成されている。また、図１（ａ）に示すように、戸袋２はレール３ａ，３ｂの延長上に形成されている。また、断熱扉用のレール３ａは、ガラス戸用のレール２４ａ，２５ａよりも屋内側に配置されている。
【００１６】
以上のような構成を備えた建造物の外壁２０の開口２１には、引き戸式のガラス戸２２，２３が装着される。すなわち、ガラス戸２２の下部にはレール２４ａに対応する溝２２ａが形成されており、ガラス戸２２の上部にはレール２４ｂに対応する溝２２ｂが形成されている。そして、ガラス戸２２の溝２２ａ，２２ｂを、開口２１のレール２４ａ，２４ｂに係合させ、ガラス戸２２を開口２１に装着する。同様に、ガラス戸２３には溝２３ａ，２３ｂが設けてあり、これらの溝２３ａ，２３ｂを開口２１のレール２５ａ，２５ｂに係合させる。図１は、開口２１にガラス戸２２，２３を装着した状態を示している。
【００１７】
次に、断熱扉１は、次のような構成を有している。
【００１８】
図３に示すように断熱扉１は、本体５（遮蔽部材）と取っ手６とを有している。本体５は、開口２１よりも若干幅方向の寸法が大きく、開口２１を閉塞できる大きさの板状体である。また、取っ手６は、断熱扉１の一方の端部に設けられており、本体５に対して起立（すなわち直交）している。さらに取っ手６は当接部６ａ，６ｂを有しており、断熱扉１を開口２１に設置した際には、取っ手６は屋内側に突出する。
【００１９】
すなわち、図１（ｂ）に示すように、当接部６ａ，６ｂは、各々取っ手６の両側の面である。そして、当接部６ａは戸袋２側の面であり、当接部６ｂはその反対側の面である。さらに断熱扉１の下部には溝７ａが設けてあり、上部には溝７ｂが設けてある。溝７ａ，７ｂは、各々レール３ａ，３ｂに係合する溝である。
【００２０】
この断熱扉１が、図１（ａ）に示す状態から図１（ｂ）に示す状態に開口２１へ装着される。すなわち、開口２１のレール３ａ，３ｂに、断熱扉１の溝７ａ，７ｂを係合させ、断熱扉１を開口２１に装着する。作業者は、開口２１に装着された断熱扉１を取っ手６で操作することができる。すなわち、取っ手６の当接部６ｂ側を押すことにより、開口２１を閉じた状態の断熱扉１を開く（戸袋２内に収納する）ことができ、逆に、当接部６ａを押すことにより、開口２１を開いた状態の断熱扉１を閉じる（戸袋２から引き出す）ことができる。
【００２１】
図１（ｂ）に示す状態では、断熱扉１は開口２１を閉塞しており、断熱効果を奏することができる。また、ガラス戸２２，２３と断熱扉１の間には空間８が形成される。この空間８に介在する空気も、屋外と屋内の間の断熱に寄与する。すなわち、空間８内の空気が、従来のカーテンと同様の断熱効果を奏する。よって、断熱材を備えた断熱扉１による断熱効果と、空間８内の空気層による断熱効果とを期待することができる。断熱扉１は、例えば、グラスウール等の無機繊維系の素材や、押し出し発泡ポリスチレン等の発泡プラスチック系の素材で形成される。
【００２２】
次に、取っ手６の当接部６ｂを押し、図１（ｃ）に示すように、断熱扉１をレール３ａ，３ｂに沿ってスライド移動させると、断熱扉１は戸袋２内に収納される。その際、取っ手６の当接部６ａが戸袋開口縁２ｂに当接し、断熱扉１は停止する。図１（ｃ）に示す状態では、断熱扉１が戸袋２に収納されて、断熱扉１とガラス戸２２，２３との間の空間８が解放されている。そして、屋内側からガラス戸２２，２３を開閉操作することができる。図１（ｄ）は、ガラス戸２３がレール２５ａ，２５ｂに沿ってスライド移動し、窓が開いている状態を示している。すなわち、図１（ｄ）に示す状態は、窓を介して採光すると共に、換気が可能な状態である。
【００２３】
図２（ａ）に示すように断熱扉１は屋内側に突出する取っ手６を備えているが、この取っ手６を省略することもできる。すなわち断熱扉１の代わりに、図２（ｂ）に示す断熱扉１０を開口２１に装着してもよい。
【００２４】
また、断熱扉１０は、断熱扉１のような溝７ａ，７ｂが設けられておらず、断熱扉１０を装着する開口２１の下面及び上面に、各々溝１１ａ，１１ｂが設けられている。そして、図２（ｂ）に示すように溝１１ａ，１１ｂによって断熱扉１０の下部及び上部がスライド移動可能に支持される。
【００２５】
断熱扉１や断熱扉１０を、住宅の台所等のエネルギーの使用量（消費量）が多い部屋の窓に設置して断熱性を向上させると、特に省エネルギー効果が期待できる。また、断熱材が設けられた外壁や床の表面温度の向上や、断熱扉１や断熱扉１０が設けられた窓からの冷気の侵入を防止することにより屋内の快適性が向上する。
【００２６】
特定の部屋だけを断熱すればよい場合においても、本発明を効果的に実施することができる。すなわち、特定の部屋の外壁にのみ断熱材を施し、当該部屋の窓に本発明を実施すると、建造物全体の断熱性を向上させる必要がなく、経済的である。例えば、住宅の場合、新築時に最もエネルギーを消費する部屋や寝室等の断熱性を向上させておくと、リフォーム時に断熱対策が不要になる。
【００２７】
換言すると、建造物全体は法律の基準を満たす断熱性を備えると共に、本発明を実施することによって、特定の部屋の断熱性のみを重点的に更に向上させることができる。
【符号の説明】
【００２８】
１    断熱扉
２    戸袋（外壁内）
２ｂ  戸袋開口縁
３ａ、３ｂ  断熱扉用のレール
５    断熱扉の本体（遮蔽部材）
６    取っ手
６ａ、６ｂ  当接部
７ａ、７ｂ  断熱扉の下部及び上部に設けた溝
２０  建造物の外壁
２１  開口
２２，２３  ガラス戸
【図１】
2012046905.tif 000003
【図２】
2012046905.tif 000004
【図３】
2012046905.tif 000005